(57)【要約】  フィットネスモニタリングシステムが開示される。本発明のシステムで移動端末は、所定の行動に対応する複数の信号の終わりを連結して決定されたエンベロープ領域を保存し、使用者の行動と関連した信号がエンベロープ領域に対応する場合、使用者の行動を所定の行動であると決定し、使用者の行動と関連した信号がエンベロープ領域にマッチングする程度を利用して、使用者の行動の正確度または類似度を決定する。
2019534062.tif 000002
【特許請求の範囲】
【請求項１】
使用者が身体の所定部位に着用して使用者の行動と関連した信号を伝送するウェアラブルデバイス；および
前記使用者の行動と関連した信号から使用者の行動を決定する移動端末を含み、
前記移動端末は、
所定の行動に対応する複数の信号の終わりを連結して決定されたエンベロープ領域を保存する保存部；および
前記使用者の行動と関連した信号が前記エンベロープ領域に対応する場合、使用者の行動を前記所定の行動であると決定する制御部を含む、フィットネスモニタリングシステム。
【請求項２】
前記使用者の行動と関連した信号は加速信号である、請求項１に記載のフィットネスモニタリングシステム。
【請求項３】
前記制御部は、
複数の行動をそれぞれエンベロープ領域に対応するかの可否を確認して決定し、該当複数の行動の組み合わせから使用者の行動を決定する、請求項１に記載のフィットネスモニタリングシステム。
【請求項４】
前記制御部は、
前記使用者の行動と関連した信号が前記エンベロープ領域にマッチングする程度を利用して、使用者の行動の正確度または類似度を決定する、請求項１に記載のフィットネスモニタリングシステム。
【請求項５】
使用者が身体の所定部位に着用して使用者の行動と関連した信号を伝送するウェアラブルデバイス；および
トレーナーが動作を遂行する映像をディスプレイし、前記使用者の行動と関連した信号から使用者の行動を決定し、使用者の行動の正確度または類似度を決定する移動端末を含み、
前記移動端末は、
ディスプレイ部；
前記トレーナーが動作を遂行する映像および前記トレーナーの動作に対応する信号のエンベロープ領域を保存する保存部；
前記トレーナーの映像を前記ディスプレイ部がディスプレイするように制御し、前記ウェアラブルデバイスから受信される前記使用者の行動と関連した信号が前記エンベロープ領域にマッチングする程度を決定する制御部を含む、フィットネスモニタリングシステム。
【請求項６】
前記使用者の行動と関連した信号は加速信号である、請求項５に記載のフィットネスモニタリングシステム。
【請求項７】
ディスプレイ装置；
使用者が身体の所定部位に着用して使用者の行動と関連した信号を伝送するウェアラブルデバイス；および
トレーナーが動作を遂行する映像を前記ディスプレイ装置に伝送し、前記使用者の行動と関連した信号から使用者の行動を決定し、使用者の行動の正確度または類似度を決定する移動端末を含み、
前記移動端末は、
前記トレーナーが動作を遂行する映像および前記トレーナーの動作に対応する信号のエンベロープ領域を保存する保存部；
前記トレーナーの映像を前記ディスプレイ装置に伝送する通信部；および前記ウェアラブルデバイスから受信される前記使用者の行動と関連した信号が前記エンベロープ領域にマッチングする程度を決定する制御部を含む、フィットネスモニタリングシステム。
【請求項８】
前記使用者の行動と関連した信号は加速信号である、請求項７に記載のフィットネスモニタリングシステム。
【請求項９】
使用者が身体の所定部位に着用して使用者の行動と関連した信号を収集し、前記使用者の行動と関連した信号から使用者の行動と関連した情報を決定して伝送するウェアラブルデバイス；および
前記使用者の行動と関連した情報を受信する移動端末を含み、
前記ウェアラブルデバイスは、
使用者の行動と関連した信号を収集するセンサ部；
所定の行動に対応する複数の信号の終わりを連結して決定されたエンベロープ領域を保存する保存部；および
前記使用者の行動と関連した信号が前記エンベロープ領域に対応する場合、使用者の行動を前記所定の行動であると決定する制御部を含む、フィットネスモニタリングシステム。
【請求項１０】
前記制御部は、
複数の行動をそれぞれエンベロープ領域に対応するかの可否を確認して決定し、該当複数の行動の組み合わせから使用者の行動を決定する、請求項９に記載のフィットネスモニタリングシステム。
【請求項１１】
前記制御部は、
前記使用者の行動と関連した信号が前記エンベロープ領域にマッチングする程度を利用して、使用者の行動の正確度または類似度を決定する、請求項９に記載のフィットネスモニタリングシステム。
【発明の詳細な説明】
【技術分野】
【０００１】
本発明はフィットネスモニタリングシステムに関するものである。
【背景技術】
【０００２】
現代人は身体活動の不足と不規則な食習慣などによって、姿勢の不均衡、肥満などのような成人病が問題となっている。これに伴い、健康および運動に対する関心が高まっており、多様な運動器具または運動システムが開発されている。
【０００３】
従来の場合、使用者はジムでヘルスケアトレーナーの指導にしたがって運動をしたり、ＣＤ、ＤＶＤ、コンピュータファイルまたはビデオテープの形態で購入して家庭や職場で動作を見ながら真似をする形態で運動をしている。
【０００４】
パーソナルトレーニングのように、トレーナーが被教育者の姿勢および回数を直接校正してあげながら一緒に運動する場合はその効果が優れているため、運動が不慣れな人々はジムに行くことになる。トレーナーなしに自分一人で運動をする場合、ジムでまたは家庭で定められた運動を連続動作で遂行しても姿勢が乱れやすく、定められた回数までやり通すことが難しいため、効果もなく中断する事例が多い。
【０００５】
したがって、ヘルスケアトレーナーの指導にしたがってジムで講習を受けることが運動の効率上好ましいが、講習費の負担とジムまで行かなければならない煩わしさのため、忙しい現代人には合わない。
【０００６】
一方、家庭でモニターを見ながら運動をする場合、動作の不正確さ、運動の難解さなどによって被教育者が簡単にあきらめないように、ヘルスケアトレーナーが遠隔で被教育者の運動状態をモニタリングできるシステムが必要である。このためには、被教育者のスポーツ動作を判断して動作の正確度および回数を伝達し、運動データの蓄積および変化の認知が可能な着用型装置（ｗｅａｒａｂｌｅ  ｄｅｖｉｃｅ）が要求される。
【０００７】
従来のヘルスケアウェアラブルデバイスは、カメラを利用してモーションを認識するものが殆どであった。被教育者のモーションをキャプチャおよび認識してスポーツ動作をコーチングするシステムおよび方法としては、韓国特許公開第２０１２−０１３１３４２号が開示されている。
【０００８】
しかし、前記先行技術はカメラを通じて使用者の行動をキャプチャして認知するものであって、照明および運動の速度により行動認知の正確度が低下する問題点がある。
【発明の概要】
【発明が解決しようとする課題】
【０００９】
本発明が解決しようとする技術的課題は、使用者が着用しているウェアラブルデバイスのセンサから受信した信号を利用して使用者の行動を認知する、フィットネスモニタリングシステムを提供することである。
【００１０】
また、本発明が解決しようとする他の技術的課題は、使用者の動作が基準動作からどの程度外れるのかを判断する、フィットネスモニタリングシステムを提供することである。
【課題を解決するための手段】
【００１１】
前記のような技術的課題を解決するために、本発明の一実施例のフィットネスモニタリングシステムは、使用者が身体の所定部位に着用して使用者の行動と関連した信号を伝送するウェアラブルデバイス；および前記使用者の行動と関連した信号から使用者の行動を決定する移動端末を含み、前記移動端末は、所定の行動に対応する複数の信号の終わりを連結して決定されたエンベロープ領域を保存する保存部；および前記使用者の行動と関連した信号が前記エンベロープ領域に対応する場合、使用者の行動を前記所定の行動であると決定する制御部を含むことができる。
【００１２】
本発明の一実施例において、前記使用者の行動と関連した信号は加速信号であり得る。
【００１３】
本発明の一実施例において、前記制御部は、複数の行動をそれぞれエンベロープ領域に対応するかの可否を確認して決定し、該当複数の行動の組み合わせから使用者の行動を決定することができる。
【００１４】
本発明の一実施例において、前記制御部は、前記使用者の行動と関連した信号が前記エンベロープ領域にマッチングする程度を利用して、使用者の行動の正確度または類似度を決定することができる。
【００１５】
また、前記のような技術的課題を解決するために、本発明の一実施例のフィットネスモニタリングシステムは、使用者が身体の所定部位に着用して使用者の行動と関連した信号を伝送するウェアラブルデバイス；およびトレーナーが動作を遂行する映像をディスプレイし、前記使用者の行動と関連した信号から使用者の行動を決定し、使用者の行動の正確度または類似度を決定する移動端末を含み、前記移動端末は、ディスプレイ部；前記トレーナーが動作を遂行する映像および前記トレーナーの動作に対応する信号のエンベロープ領域を保存する保存部；前記トレーナーの映像を前記ディスプレイ部がディスプレイするように制御し、前記ウェアラブルデバイスから受信される前記使用者の行動と関連した信号が前記エンベロープ領域にマッチングする程度を決定する制御部を含むことができる。
【００１６】
本発明の一実施例において、前記使用者の行動と関連した信号は加速信号であり得る。
【００１７】
また、前記のような技術的課題を解決するために、本発明の一実施例のフィットネスモニタリングシステムは、ディスプレイ装置；使用者が身体の所定部位に着用して使用者の行動と関連した信号を伝送するウェアラブルデバイス；およびトレーナーが動作を遂行する映像を前記ディスプレイ装置に伝送し、前記使用者の行動と関連した信号から使用者の行動を決定し、使用者の行動の正確度または類似度を決定する移動端末を含み、前記移動端末は、前記トレーナーが動作を遂行する映像および前記トレーナーの動作に対応する信号のエンベロープ領域を保存する保存部；前記トレーナーの映像を前記ディスプレイ装置に伝送する通信部；および前記ウェアラブルデバイスから受信される前記使用者の行動と関連した信号が前記エンベロープ領域にマッチングする程度を決定する制御部を含むことができる。
【００１８】
本発明の一実施例において、前記使用者の行動と関連した信号は加速信号であり得る。
【００１９】
また、前記のような技術的課題を解決するために、本発明の一実施例のフィットネスモニタリングシステムは、使用者が身体の所定部位に着用して使用者の行動と関連した信号を収集し、前記使用者の行動と関連した信号から使用者の行動と関連した情報を決定して伝送するウェアラブルデバイス；および前記使用者の行動と関連した情報を受信する移動端末を含み、前記ウェアラブルデバイスは、使用者の行動と関連した信号を収集するセンサ部；所定の行動に対応する複数の信号の終わりを連結して決定されたエンベロープ領域を保存する保存部；および前記使用者の行動と関連した信号が前記エンベロープ領域に対応する場合、使用者の行動を前記所定の行動であると決定する制御部を含むことができる。
【００２０】
本発明の一実施例において、前記制御部は、複数の行動をそれぞれエンベロープ領域に対応するかの可否を確認して決定し、該当複数の行動の組み合わせから使用者の行動を決定することができる。
【００２１】
本発明の一実施例において、前記制御部は、前記使用者の行動と関連した信号が前記エンベロープ領域にマッチングする程度を利用して、使用者の行動の正確度または類似度を決定することができる。
【発明の効果】
【００２２】
前記のような本発明は、使用者の行動と関連した信号から所定の動作に対応する信号範囲に該当するかの可否によって所定の動作であると決定し、また、所定の動作に対応する信号の範囲から外れる比率を確認して動作の正確度または類似度を決定することができる。
【００２３】
これによって、本発明は使用者の行動がどのような動作であるかをより正確に判定することができ、使用者がより正確な動作を遂行するように誘導することによって、効果的な運動となるようにする効果がある。
【図面の簡単な説明】
【００２４】
【図１】本発明の一実施例のフィットネスモニタリングシステムを概略的に説明するための構成図。
【図２】本発明の一実施例のウェアラブルデバイスの詳細構成図。
【図３】本発明の一実施例の移動端末の詳細構成図。
【図４】所定の行動時に現れる加速信号を示す一例示図。
【図５】図４の複数の加速信号を重ねた一例示図。
【図６】本発明の一実施例において制御部が使用者の行動と関連した信号をマッチングして行動を決定する例を説明するための一例示図。
【図７】本発明の一実施例によりゴルフに対応する加速パターンを説明するための一例示図。
【図８】本発明の適用例を説明するための一例示図。
【図９】本発明の一実施例のフィットネスモニタリングシステムの構成図。
【図１０】本発明の他の実施例のフィットネスモニタリングシステムの構成図。
【発明を実施するための形態】
【００２５】
本発明の構成および効果を十分に理解するために、添付した図面を参照して本発明の好ましい実施例を説明する。しかし、本発明は下記に開示される実施例に限定されるものではなく、多様な形態で具現され得、多様な変更を加えることができる。ただし、本実施例に対する説明は、本発明の開示を完全なものとし、本発明が属する技術分野の通常の知識を有する者に発明の範疇を完全に知らせるために提供されるものである。添付された図面で構成要素は、説明の便宜のためにその大きさを実際のものより拡大して図示したものであり、各構成要素の比率は誇張または縮小され得る。
【００２６】
ある構成要素が他の構成要素の「上に」あるとか「接して」いると記載された場合、他の構成要素の上に直接接しているかまたは連結されていてもよいが、中間にさらに他の構成要素が存在してもよいと理解されるべきである。その反面、ある構成要素が他の構成要素の「真上に」あるとか「直接接して」あると記載された場合には、中間にさらに他の構成要素が存在しないものと理解され得る。構成要素間の関係を説明する他の表現、例えば、「〜間に」と「直接〜間に」等も同様に解釈され得る。
【００２７】
「第１」、「第２」等の用語は多様な構成要素の説明に使われ得るが、前記構成要素は前記用語によって限定されてはならない。前記用語は一つの構成要素を他の構成要素から区別する目的でのみ使われ得る。例えば、本発明の権利範囲を逸脱することなく「第１構成要素」は「第２構成要素」と命名され得、同様に「第２構成要素」も「第１構成要素」と命名され得る。
【００２８】
単数の表現は文脈上明白に異なることを表現しない限り、複数の表現を含む。「含む」または「有する」等の用語は、明細書上に記載された特徴、数字、段階、動作、構成要素、部分品またはこれらを組み合わせたものが存在することを指定するためのものであって、一つまたはそれ以上の他の特徴や数字、段階、動作、構成要素、部分品またはこれらを組み合わせたものが付加され得るものと解釈され得る。
【００２９】
本発明の実施例で使われる用語は異なって定義されない限り、該当技術分野で通常の知識を有する者に通常的に知られている意味と解釈され得る。
【００３０】
以下、添付した図面を参照して本発明の好ましい実施例を説明することによって本発明を詳細に説明する。
【００３１】
図１は、本発明の一実施例のフィットネスモニタリングシステムを概略的に説明するための構成図である。
【００３２】
図面に図示された通り、本発明の一実施例のシステムは、使用者が身体の所定部位に着用するウェアラブルデバイス１および移動端末２で構成され得る。
【００３３】
ウェアラブルデバイス１は、使用者が遂行した行動に関連する信号を移動端末２に伝送することができる。この時、ウェアラブルデバイス１と移動端末２は、ブルートゥース（登録商標）またはＮＦＣ（ｎｅａｒ  ｆｉｅｌｄ  ｃｏｍｍｕｎｉｃａｔｉｏｎ）のような近距離無線通信を利用して通信を遂行することができる。これを図面を通じて詳細に説明する。
【００３４】
図２は、本発明の一実施例のウェアラブルデバイスの詳細構成図である。
【００３５】
図面に図示された通り、本発明の一実施例のウェアラブルデバイスは、制御部１０、センサ部１１、通信部１５、バッテリー部１６および振動部１７を含むことができる。また、センサ部１１は加速センサ１２、高度センサ１３および脈拍センサ１４を含むことができる。ただし、図２に図示された構成要素は必ずしも必須のものではなく、それより多い構成要素を有するかそれより少ない構成要素を有するウェアラブルデバイス１で具現されてもよい。
【００３６】
センサ部１１の加速センサ１２は使用者の行動を区分するために、ｘ、ｙ、ｚ軸の３軸の加速度を測定する３軸センサであり得、使用者の行動に対する加速度を測定することができる。
【００３７】
高度センサ１３はウェアラブルデバイスが位置する現在の高度を測定するものであって、大気圧を測定して電圧に変換するものである。
【００３８】
脈拍センサ１４は使用者の心拍数を測定することができる。心拍数は運動強度に比例し、最大心拍数が上がるほどカロリー消耗量が増加するため、運動中の心拍数を確認すれば運動強度を把握することができる。
【００３９】
本発明の一実施例では、センサ部１１のセンサモジュールとして加速センサ１２、高度センサ１３および脈拍センサ１４を例示的に説明したが、本発明はこれに限定されるものではなく、さらに多様なセンサを具備してもよい。
【００４０】
制御部１０はセンサ部１１で測定された加速度、高度、および心拍数を含む行動と関連した信号を、通信部１５を通じて移動端末２に伝送することができる。
【００４１】
通信部１５は前述した通り、ブルートゥースまたはＮＦＣのような近距離通信方式によって移動端末２と通信を遂行することができる。
【００４２】
バッテリー部１６は本発明のウェアラブルデバイス１の各構成要素に電源を提供することができ、例えばリチウム−ポリマーバッテリーであり得る。
【００４３】
一方、移動端末２は使用者が行動を遂行する時に使用者が携帯または近くに置くものであって、ウェアラブルデバイス１から受信した使用者が遂行した行動に関連する信号を受信して使用者の行動を認識し、行動正確度を判定することができ、または該当動作とどれほど類似するかを示す類似度を判定することもできる。また、移動端末２は最大心拍数、消耗カロリーおよび運動回数に対する情報を使用者に提供することができる。移動端末２の細部構成を図面を参照して説明する。
【００４４】
図３は、本発明の一実施例の移動端末の詳細構成図である。
【００４５】
図面に図示された通り、本発明の一実施例の移動端末２は、制御部２０、通信部２１、使用者入力部２２、ディスプレイ部２３および保存部２４を含むことができる。ただし、図３に図示された構成要素は必ずしも必須のものではなく、それより多い構成要素を有するかそれより少ない構成要素を有する移動端末２で具現されてもよい。
【００４６】
通信部２１は、ウェアラブルデバイス１の通信部１５と所定の通信方式によってデータを送受信することができる。この時、通信部２１は、ブルートゥースまたはＮＦＣのような近距離通信方式によって移動端末２と通信を遂行することができる。
【００４７】
使用者入力部２２は、使用者が移動端末２の動作を制御するための入力データを発生させることができる。
【００４８】
ディスプレイ部２３は移動端末２で処理される情報をディスプレイすることができる。ディスプレイ部２３は液晶ディスプレイ（ｌｉｑｕｉｄ  ｃｒｙｓｔａｌ  ｄｉｓｐｌａｙ、ＬＣＤ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ、ＴＦＴ−ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、フレキシブルディスプレイ（ｆｌｅｘｉｂｌｅ  ｄｉｓｐｌａｙ）、３次元ディスプレイ（３Ｄ  ｄｉｓｐｌａｙ）のうち少なくとも一つを含むことができる。
【００４９】
ディスプレイ部２３とタッチ動作を感知するセンサ（タッチセンサ）が相互レイヤー構造をなす場合（以下、「タッチスクリーン」とする）、ディスプレイ部２３は出力装置の他に入力装置である使用者入力部２２としても使われ得る。
【００５０】
タッチセンサは、ディスプレイ部２３の特定の部位に加えられた圧力またはディスプレイ部２３の特定の部位に発生する静電容量などの変化を、電気的な入力信号に変換するように構成され得る。タッチセンサはタッチされる位置および面積だけでなく、タッチ時の圧力までも検出することができるように構成され得る。タッチセンサに対するタッチ入力がある場合、それに対応する信号は制御部２０に伝送され、制御部２０は該当信号を処理してディスプレイ部２３のいずれの領域がタッチされたかなどを分かるようになる。
【００５１】
保存部２４は制御部２０の動作のためのプログラムを保存することができ、使用者が本発明の一実施例のサービスのためにダウンロードするアプリケーションを保存することもできる。また、保存部２４は制御部２０が基準パラメーターと行動パラメーターの比較のために、基準パラメーターを保存することができる。
【００５２】
制御部２０は通信部２１を通じて受信した使用者の行動に関連した信号を受信し、使用者の行動を認知する一方、使用者の特定の行動の正確度または類似度を判断することができる。これについては下記で図面を参照して説明する。
【００５３】
人の何らかの行動は一連の加速度の変化を伴う。例えば、「競走」の場合を仮定する。図４は、所定の行動時に現れる加速信号を示す一例示図である。ただし、本発明の一実施例では「加速信号」を例にして説明しているが、これに限定されるものではなく、ウェアラブルデバイス１のセンサ部１１が測定する何らかの種類の信号であってもよい。
【００５４】
すなわち、図４の（ａ）〜（ｃ）の信号は、複数の人がウェアラブルデバイス１を着用して所定の行動を遂行したケースに該当する加速信号であって、多様な大きさで現れているが、これはほぼ類似するパターンを示していることが分かる。図５は、図４の複数の加速信号を重ねた一例示図である。図５の（ａ）のように、複数の人がウェアラブルデバイス１を着用して所定の行動を遂行した場合の加速信号は互いに類似するパターンを示していることが分かる。
【００５５】
したがって、本発明の一実施例では、図５の（ｂ）のように、所定の行動に対する重なり信号の複数の信号の終わりを連結してエンベロープ（ｅｎｖｅｌｏｐ）５Ａ、５Ｂを決定し、これを保存部２４に保存することができる。すなわち、制御部２０は本発明の一実施例のアプリケーションを提供するサーバー（図示されず）から、所定の行動に対する重なり信号のエンベロープを受信して保存部２４に保存することができる。説明の便宜のために、以下では、５Ａを上部エンベロープとし、５Ｂを下部エンベロープとする。また、上部および下部エンベロープの間の領域を「エンベロープ領域」とする。このように、上部エンベロープおよび下部エンベロープの間であるエンベロープ領域は、使用者の行動と関連した信号から所定の行動を決定するための領域と言える。
【００５６】
このようなエンベロープは複数の行動に対して定義されて保存部２４に保存され得る。制御部２０は行動に対するデータが更新されるたびに該当データをサーバー（図示されず）から受信して保存することができる。
【００５７】
すなわち、制御部２０は、ウェアラブルデバイス１から使用者の行動と関連した信号を受信してこれを複数のエンベロープとマッチングさせ、このうちマッチング度が所定の比率以上である場合、該当行動を決定することができる。
【００５８】
図６は、本発明の一実施例において制御部が使用者の行動と関連した信号をマッチングして行動を決定する例を説明するための一例示図であって、本発明の一例では使用者の行動と関連した信号として加速信号を例にして説明しているが、これに限定されるものではない。
【００５９】
図６の（ａ）に図示された通り、ウェアラブルデバイス１から受信した使用者の行動と関連した信号６Ａが、所定の行動と関連した上部および下部エンベロープ５Ａ、５Ｂの間のエンベロープ領域にマッチングする場合、制御部２０は、該当エンベロープ５Ａ、５Ｂに対応する行動をしていることを決定することができる。
【００６０】
また、制御部２０は、該当行動と関連して、正確度または類似度を決定して使用者が閲覧できるようにディスプレイ部２３を通じてディスプレイすることができる。すなわち、制御部２０は、図６の（ｂ）のように、使用者の行動と関連した信号６Ｂが所定の行動と関連した上部および下部エンベロープ５Ａ、５Ｂの間のエンベロープ領域に所定の比率（例えば７０％）以上マッチングする場合、制御部２０は該当エンベロープ領域に対応する行動をしており、正確度または類似度は該当信号６Ｂが上部および下部エンベロープ５Ａ、５Ｂの間のエンベロープ領域にマッチングする程度を利用して決定することができる。
【００６１】
図６の（ｂ）の場合、例えば使用者の行動に関連する信号６Ｂが上部および下部エンベロープ５Ａ、５Ｂの間のエンベロープ領域に８０％マッチングする場合、制御部２０は該当エンベロープ５Ａ、５Ｂに対応する行動をしており、正確度は８０％であることを決定して使用者が確認できるようにディスプレイすることができる。
【００６２】
すなわち、制御部２０は、前記のような方式で使用者の行動を正確に認知し、使用者の行動の正確度または類似度を決定することができる。これに伴い、制御部２０は使用者の行動によって消耗するカロリーを決定し、これを使用者にディスプレイ部２３を通じてディスプレイすることができる。
【００６３】
図８は、本発明の適用例を説明するための一例示図である。図面に図示された通り、制御部２０はエンベロープ領域のマッチング度により使用者の行動を認知し８Ａ、これを通じて使用者の運動量８Ｂ、消耗したカロリー８Ｃ、最大心拍数８Ｄ、運動時間８Ｅおよび正確度または類似度８Ｆを、移動端末２のディスプレイ部２３を通じてディスプレイすることができる。
【００６４】
本発明の一実施例では、一つのエンベロープ領域を通じて使用者の行動を決定する例を説明しているが、これに限定されるものではない。例えば、山登りの場合、高度センサ１３により測定される信号および加速センサ１２により測定される信号が使用者の行動と関連した信号であり得、この場合、複数の信号を保存部２４に保存されたエンベロープと比較して使用者の行動を決定することができる。
【００６５】
一方、サッカーのように複雑な行動の場合、制御部２０は多様な行動の組み合わせで使用者の行動を決定することができる。すなわち、例えば、歩き、走り、ジャンプ、安定などのそれぞれの行動を決定し、その後これからなる組み合わせで行動を判定することもできる。またはゴルフのように多様な行動の組み合わせからなる場合、保存部２４は該当多様な行動の組み合わせからなるエンベロープおよびエンベロープ領域を保存していてもよい。
【００６６】
図７は、本発明の一実施例によりゴルフに対応する加速パターンを説明するための一例示図である。
【００６７】
図面に図示された通り、スイングの各ステップごとに加速信号のパターンがはっきりと区分されることが分かり、制御部２０は図７のようにウェアラブルデバイス１から受信される使用者の行動に関連した信号を受信することができる。その後、制御部２０は保存部２４に保存されたゴルフスイングに関連したエンベロープ領域と比較して、該当動作がゴルフスイングに該当するものであり、正確度または類似度はどの程度であるかを決定することができる。
【００６８】
図９は、本発明の一実施例のフィットネスモニタリングシステムの構成図である。
【００６９】
図面に図示された通り、本発明のフィットネスモニタリングシステムは、ディスプレイ装置３、使用者が着用するウェアラブルデバイス１および移動端末２を含むことができる。
【００７０】
使用者は、ディスプレイ装置３にディスプレイされるトレーナーの動作をウェアラブルデバイス１を着用して遂行することができる。この時、ディスプレイ装置３は、移動端末２から映像をリアルタイムで受信してディスプレイすることができる。ディスプレイ装置３は例えばＴＶであり得るが、これに限定されるものではなく、パーソナルコンピューター（ＰＣ）のディスプレイ部でもよく、またはノートブックコンピュータのディスプレイ部でもよい。またはパッド型のコンピュータでもよい。
【００７１】
このために、移動端末２の通信部２１は、所定の通信方式によってディスプレイ装置３と通信を遂行して映像を提供することができる。通信部２１は近距離通信方式によって通信を遂行してもよく、またはホームネットワークのための通信方式によってディスプレイ装置３と通信を遂行してもよい。この場合、通信部２１は近距離通信のためのモジュールの他に、ホームネットワーク通信のためのモジュールをさらに具備してもよい。
【００７２】
この時、移動端末２にはディスプレイ装置３にディスプレイされる映像がディスプレイされてもよく、ディスプレイされずにディスプレイ装置３にのみディスプレイされてもよい。
【００７３】
ただし、本発明はこれに限定されるものではなく、本発明のシステムは、ウェアラブルデバイス１と移動端末２だけでも構成され得る。
【００７４】
図１０は、本発明の他の実施例のフィットネスモニタリングシステムの構成図である。
【００７５】
図面に図示された通り、使用者は移動端末２のディスプレイ部２３を通じてトレーナーの動作を見ることもできる。
【００７６】
すなわち、移動端末２から受信される映像をディスプレイ部２３がディスプレイするかまたは移動端末２が直接ディスプレイするかの差の他には差がないため、以下では、説明の便宜のために、図９のシステムを参照して説明する。
【００７７】
ウェアラブルデバイス１を着用した使用者は、移動端末２の保存部２４に保存された多様なフィットネス動作のうちいずれか一つを選択することができる。例えば、保存部２４に保存される行動の種類は、次のようにツリー化して保存され得る。
【００７８】
【表１】
2019534062.tif 000003
【表２】
2019534062.tif 000004
【００７９】
ただし、これは例示的なものであって、本発明はこのような動作の保存に限定されるものではなく、さらに多様な行動が保存され得る。また、このような動作はそれぞれ別途に保存されるものではなく、中分類に該当する運動を選択すると、小分類の動作が連続してディスプレイされるように構成されてもよい。
【００８０】
また、保存部２４は、このような動作に対応してそれぞれの上部および下部エンベロープおよびその間のエンベロープ領域を保存することができる。すなわち、本発明の一実施例のために、本発明のフィットネスモニタリングシステムを提供するサーバー（図示されず）は、トレーナーの行動と関連した信号を複数回測定し、この信号に対する上部および下部エンベロープを図５のように決定し、各運動に対応して保存することができる。
【００８１】
使用者がいずれか一つの動作を選択すると、図９のようにディスプレイ装置３にトレーナーが該当動作を遂行する映像がディスプレイされ得る。これは、前述した通り、移動端末２の保存部２４に保存された映像を制御部２０が通信部２１を通じてディスプレイ装置３に伝送したものであり得る。または図１０のように移動端末２のディスプレイ部２３に該当映像がディスプレイされてもよい。
【００８２】
使用者はディスプレイ部２３にディスプレイされる映像を確認して該当動作を真似をすると、使用者が着用したウェアラブルデバイス１から使用者の行動と関連した信号が移動端末２に伝送され得る。
【００８３】
移動端末２の制御部２０は、該当動作のエンベロープ領域と使用者のウェアラブルデバイス１から伝送される行動に関連した信号を比較して、正確度または類似度を決定することができる。正確度または類似度を決定する方法は、図６の（ｂ）のように、使用者の行動と関連した信号が上部および下部エンベロープ５Ａ、５Ｂの間のエンベロープ領域にマッチングする（ぴったりと合う）程度を比率で確認して決定することができる。
【００８４】
また、制御部２０は、該当動作に対する正確度または類似度にしたがってポイントを付与することもでき、また、該当動作によって消耗するカロリーを決定することもできる。また、該当動作を実施した回数をディスプレイしてもよい。
【００８５】
すなわち、図９のように、制御部２０は、トレーナーが該当動作を遂行する映像と共に、使用者の行動に対するポイント９Ａ、消耗カロリー９Ｂ、正確度９Ｃおよび動作を遂行した回数９Ｄをトレーナーの映像の一領域にディスプレイして、使用者が自分の動作を容易に確認するように提供することができる。
【００８６】
以上の説明では、ウェアラブルデバイス１は使用者が遂行した行動に関連する信号を移動端末２に伝送し、移動端末２は使用者の行動に関連する信号を受信して、これに対してエンベロープ領域に対応する程度により行動を決定し、正確度または類似度を決定することを例にして説明した。しかし、これは例示的なものであって、ウェアラブルデバイス１が使用者が遂行した行動に関連する信号を収集し、これに対してあらかじめ保存したエンベロープ領域に対応する程度により行動を決定し、正確度または類似度を決定してこれを移動端末２に伝送してもよい。
【００８７】
すなわち、この場合、保存される複数の行動に対するエンベロープ領域が保存される保存部と、使用者の行動と関連した信号をエンベロープ領域と比較して、これに対して対応する行動を決定し、使用者の行動の正確度または類似度を決定する制御部がウェアラブルデバイス１に備えられ得る。
【００８８】
この場合、使用者の行動と行動の正確度または類似度は移動端末２に伝送され得、移動端末２のディスプレイ部２３に行動の種類と正確度または類似度がディスプレイされ得る。
【００８９】
このような本発明は、使用者の行動と関連した信号から所定の動作に対応する信号範囲に該当するかの可否によって所定の動作であると決定し、また、所定の動作に対応する信号の範囲から外れる比率を確認して動作の正確度を決定することができる。
【００９０】
これによって、本発明は使用者の行動をより正確にどのような動作であるかを判定することができ、動作の正確度を提供してより正確な動作を遂行するように誘導することによって、効果的な運動となるようにすることができる。
【００９１】
以上、本発明に係る実施例が説明されたが、これは例示的なものに過ぎず、当該分野で通常の知識を有する者であればこれから多様な変形および均等な範囲の実施例が可能であることが理解できるはずである。したがって、本発明の真の技術的な保護範囲は、次の特許請求の範囲によって定められるべきである。
【図１】
2019534062.tif 000005
【図２】
2019534062.tif 000006
【図３】
2019534062.tif 000007
【図４】
2019534062.tif 000008
【図５】
2019534062.tif 000009
【図６】
2019534062.tif 000010
【図７】
2019534062.tif 000011
【図８】
2019534062.tif 000012
【図９】
2019534062.tif 000013
【図１０】
2019534062.tif 000014
【国際調査報告】
2019534062.tif 000015
2019534062.tif 000016
2019534062.tif 000017
2019534062.tif 000018